(57)【要約】      （修正有）【課題】タブレット形状の固形歯磨きを上下にスライドさせ、１個づつ取り出し、完全使い切りと詰め替えができる固形歯磨き収納容器を提供する。【解決手段】１回の歯磨きに使用される適分量の粉状、あるいは練り状の歯磨き粉を平板状に固形化した同形状の固形歯磨きを複数個重ねた状態で収納する固形歯磨き収納容器であって、軸心方向の切り割り溝が形成された筒状の内筒部材と、この内筒部材の下端に内筒部材を回転するためのダイヤル部と、前記内筒部材の外周を回動可能に覆うラセン溝が形成されたラセン部材と、このラセン部材の外周を覆う外筒部材と、前記内筒部材内に上下移動可能に形成された台座と、この台座に形成された前記内筒部材の切り割り溝及び、前記ラセン部材と係合する係合ピンと、前記内筒部材の上部開口部を密閉する着脱自在な蓋部とで構成されていることを特徴とする。【選択図】図２
2005104582.tif 000002
【特許請求の範囲】
【請求項１】
一回の歯磨き時に使用される適分量の粉状あるいは練り状の歯磨き粉を平板状に固形化した同形状の固形歯磨きを、複数個重ねた状態で収納する固形歯磨き収納容器であって、軸心方向の切り割り溝が形成された筒状の内筒部材と、この内筒部材の下端に内筒部材を回動するためのダイヤル部と、前記内筒部材の外周を回動可能に覆うラセン溝が形成されたラセン部材と、このラセン部材の外周を覆う外筒部材と、前記内筒部材に上下移動可能に形成された台座と、この台座に形成された前記内筒部材の切り割り溝及び前記ラセン部材のラセン部材と係合する係合ピンと、前記内筒部材の上部開口部を密閉する着脱自在な蓋部とで構成されていることを特徴とする固形歯磨き収納容器。
【発明の詳細な説明】
【技術分野】
【０００１】  本発明は、一般的にチューブ容器式の練り状タイプあるいは、粉状の歯磨き粉をタブレット形状の固形歯磨きに加工、成型し、この固形歯磨きを収納容器に装てんして使用し、収納容器下方のダイヤル部を回して、タブレット形状の固形歯磨きを上下にスライドさせ、１個づつ取り出すことにより、完全使い切りと詰め替えができる資源の再利用も考慮した固形歯磨き収納容器に関するものである。
【背景技術】
【０００２】  従来、ラミネートチューブ式容器入り練り状タイプの歯磨き粉が主流である。
一部に粉状の歯磨き粉もあったが、主流のチューブ式歯磨き粉においては、チューブ容器を握り持ち、しぼり出して歯ブラシに歯磨き粉を付けて、歯磨きをする使用法だったが、チューブ容器の歯磨き粉残量が少なくなると、しぼり出しにくく、まだ数回残っているのに最後まで使い切ることができずにいた。
【発明の開示】
【発明が解決しようとする課題】
【０００３】  これは次のような欠点があった。
チューブ式歯磨き粉の容器内残量が少量になってくると、非常にしぼり出しにくく、まだ数回分残っているのにもかかわらず、最後までしぼり出し切ることがないまま、残ってしまった結果、歯磨き粉やチューブ容器の両方ともに大切な資源がゴミになり、無駄が多かった。
本発明は、これらの問題点を解決するためになされたものである。
【課題を解決するための手段】
【０００４】  切り割り溝が形成された筒状の内筒部材と、ラセン溝が形成された筒状のラセン部材とを内筒部材の外側にラセン部材を挿入接合し、内筒部材内に係合する。
皿部材が内筒部材内を上下移動可能にする係合ピンが形成され、接合した内筒部材の切り割り溝及びラセン部材のラセン溝とを係合し、上下移動する基本的構造で構成されているが、収納容器内に納めるタブレット形状の固形歯磨きが水平に装てんできる。
台座に改良形成され、さらにラセン部材の外周を覆う筒状の外筒部材の下方に内筒部材内の台座が上下移動するためのダイヤル部を設けた機能を用い使用する。
本発明は、以上のような構成よりなる固形歯磨き収納容器。
【発明の効果】
【０００５】  本発明を使用することにより、固形歯磨きを収納容器に装てんし、収納容器下方に設けたダイヤル部を回すことにより、容器内の固形歯磨きが上下移動し、容器上部の蓋部に収納されているピンセットを用い、衛生面にも配慮して、口元へ運び入れ歯磨きする。
さらに従来品のチューブ容器式練り状歯磨き粉では、最後まで使い切るのにチューブタイプがしぼり出しにくく、数回分、容器内に残ったまま、容器も中身も無駄になっていたが、本発明は、１回の歯磨きに１個という歯磨き粉を固形にすることにより、完全使い切りなので、収納容器に詰め替え用の固形歯磨きを補充すれば、資源の再利用とゴミ問題等も考慮した上、家庭はもちろん、職場や学校、旅先などにも必要な量だけで、収納容器もコンパクトで携帯にも便利な固形歯磨き収納容器である。
【発明を実施するための最良の形態】
【０００６】  以下、本発明の実施の形態について説明する。
（イ）  切り割り溝（１１）が形成された筒状の内筒部材（１０）とラセン溝（７）が形成された筒状のラセン部材（６）とを、内筒部材（１０）の外側にラセン部材（６）を挿入接合し、内筒部材（１０）内に係合する台座（８）が内筒部材（１０）内を上下移動可能にする係合ピン（９）が形成され、接合した内筒部材（１０）の切り割り溝（１１）及びラセン部材（６）のラセン溝（７）とを係合し上下移動する基本構成である。
固形歯磨き収納容器（１５）に装てんするタブレット形状の固形歯磨き（１）が水平に装てんできる台座（８）に形成され、さらに内筒部材（１０）内の台座（８）が上下移動するためのダイヤル部（５）をラセン部材（６）の外周を覆う筒状の外筒部材（４）の下方に設ける。
（ロ）  図２に示す蓋部（２）の側面に差し込み穴（３）を設け、図４（ａ）に示すように、蓋部（２）の側面の差し込み穴（３）にピンセット（１４）を収納してある。
（ハ）  固形歯磨き収納容器（１５）の材質には、抗菌加工を施したプラスチック系部材や合成樹脂材の板を形に打ち抜き、加工しておいて、それを円筒形状に丸めたものが使用される。
本発明は以上のような構成で、これを使用する時は、図１に示すタブレット形状の固形歯磨き（１）が積み重ねた固形歯磨き（１）を固形歯磨き収納容器（１５）内に装てんし、図２に示す内筒部材（１０）内に係合している台座（８）が切り割り溝（１１）と連通する水平方向に形成された、下方係止溝（１３）からラセン部材（６）のラセン溝（７）に係合し、図２に示す筒状の外筒部材（４）の下方のダイヤル部（５）をつまみ、図４（ｃ）の下方に示すようにダイヤル部（５）を回し、内筒部材（１０）の切り割り溝（１１）とラセン部材（６）のラセン溝（７）とを係合ピン（９）を支点に係合上昇移動する。
そして上昇移動した台座（８）は、図２に示す内筒部材（１０）の切り割り溝（１１）と連通する水平方向に形成された上方係止溝（１２）の位置まで上昇して停止する。
さらに下降移動時も、内筒部材（１０）の切り割り溝（１１）とラセン部材（６）のラセン溝（７）とを係合ピン（９）を支点に係合下降移動し、切り割り溝（１１）と連通する水平方向に形成された下方係止溝（１３）で停止する機構を形成し、その機構を繰り返し作用させることにより、内筒部材（１０）内の台座（８）が上下移動する。
以下、本発明の固形歯磨き（１）を使用者が固形歯磨き収納容器（１５）を使用するにあたり、図２に示す蓋部（２）の側面の差し込み穴（３）に図４（ａ）に示すピンセット（１４）が収納してあり、図４（ｂ）に示すようにピンセットを用い、タブレット形状の固形歯磨き（１）を図４（ｃ）に示す固形歯磨き収納容器（１５）よりつまみ取り、衛生面にも配慮して、口元へ運び入れ、少量の水を含み、軽く噛み、口全体にむらなくなじませた後、歯ブラシで歯磨きする。
尚、固形歯磨き（１）という口の中へ入れる物ゆえに、固形歯磨き収納容器（１５）やピンセット（１４）の材質には、抗菌加工を施した安全かつ衛生的な部材を使用する。
【図面の簡単な説明】
【０００７】
【図１】本発明に係る固形歯磨き斜視図
【図２】本発明の分解斜視図
【図３】本発明の一部切欠き断面図
【図４】本発明の使用状態を示す斜視図
【符号の説明】
【０００８】  １  固形歯磨き            ２  蓋部                ３  差し込み穴
４  外筒部材              ５  ダイヤル部          ６  ラセン部材
７  ラセン溝              ８  台座                ９  係合ピン
１０  内筒部材            １１  切り割り部材      １２  上方係止溝
１３  下方係止溝          １４  ピンセット        １５  固形歯磨き収納容器
【図１】
2005104582.tif 000003
【図２】
2005104582.tif 000004
【図３】
2005104582.tif 000005
【図４】
2005104582.tif 000006